(57)【特許請求の範囲】
【請求項１】
携帯型電子機器のバッテリカバーの開閉機構であって、
バッテリを収容するバッテリ収容部と、
前記バッテリ収容部に収容されたバッテリを覆うバッテリカバーとからなり、
前記バッテリ収容部は、中蓋と、前記バッテリ収容部の上面に固定された弾性部材と、前記バッテリカバーの挿入方向の手前側から奥側に向かって傾斜した傾斜面を有する第１の案内板を有し、
前記バッテリカバーは、挿入方向の手前側から奥側に向かって傾斜した傾斜面を有する第２の案内板を有し、
前記第１の案内板の傾斜面に沿って前記第２の案内板の傾斜面をスライドさせて前記バッテリカバーを挿入したときに、前記第１の案内板の傾斜面と前記第２の案内板の傾斜面が接触するにつれて、前記弾性部材と前記中蓋とが密着するように前記弾性部材がスライド方向に対して垂直方向に圧縮される構造であることを特徴とするバッテリカバーの開閉機構。
【請求項２】
前記バッテリの取り出し方向と直交する方向にスライドさせて前記バッテリカバーを取り外すことを特徴とする請求項１記載のバッテリカバーの開閉機構。
【発明の詳細な説明】
【０００１】
【発明の属する技術分野】
本発明は、携帯型電子機器のバッテリカバーの開閉機構に関する。
【０００２】
【従来の技術】
携帯型の電子機器はバッテリにより駆動されており、装置本体にはそのバッテリを収納するための収納部が設けられている。バッテリ収納部に収納されたバッテリはバッテリカバーにより覆われており、このバッテリカバーは、バッテリの交換が簡単に行えるように開閉が簡単で、かつ収納してあるバッテリが外に飛び出したりしないような構造である必要がある。
【０００３】
【発明が解決しようとする課題】
図５は従来のバッテリカバー４１の開閉機構の説明図である。同図（Ａ）は、バッテリカバー４１を開いてバッテリ４２をバッテリ収納部４３から取り外すときの状態を示しており、同図（Ｂ）は、バッテリ４２を収納部４３に収納した状態で、バッテリカバー４１の測部から見た断面図である。
【０００４】
バッテリ４２をバッテリ収納部４３に収納した状態では、同図（Ｂ）に示すようにバッテリカバー４１のつめ４１ａが装置本体４４の凹部（図示せず）に引っかかり、バッテリカバー４１はその状態でロックされている。バッテリ４２を交換する場合には、バッテリカバー４１のロックを外してバッテリカバー４１を開いてバッテリ４２を交換する。
【０００５】
携帯型電子機器では、ユーザが装置を持ち運んで使用することから、装置本体に衝撃が加わることが考えられ、多少の衝撃では動作上支障のないことが望まれる。
【０００６】
上述したような構造のバッテリカバー開閉機構を有する電子機器に、たとえば落下の衝撃が加わると、同図（Ｂ）に示すように落下の衝撃によりバッテリ４２が飛び出す方向ａと、バッテリカバー４１を開く方向ｂとが一致するので、落下の衝撃が大きいとバッテリ４２が外に飛び出そうとする力でバッテリカバー４１のロックが外れ、バッテリ４２が装置本体４４から外に飛び出してしまうという問題点があった。
【０００７】
本発明の課題は、衝撃が加わったときにもバッテリが装置本体から飛び出さないようにすることである。
【０００８】
【課題を解決するための手段】
本発明は、携帯型電子機器のバッテリカバーの開閉機構であって、バッテリを収容するバッテリ収容部と、前記バッテリ収容部に収容されたバッテリを覆うバッテリカバーとからなり、前記バッテリ収容部は、中蓋と、前記バッテリ収容部の上面に固定された弾性部材と、前記バッテリカバーの挿入方向の手前側から奥側に向かって傾斜した傾斜面を有する第１の案内板を有し、前記バッテリカバーは、挿入方向の手前側から奥側に向かって傾斜した傾斜面を有する第２の案内板を有し、前記第１の案内板の傾斜面に沿って前記第２の案内板の傾斜面をスライドさせて前記バッテリカバーを挿入したときに、前記第１の案内板の傾斜面と前記第２の案内板の傾斜面が接触するにつれて、前記弾性部材と前記中蓋とが密着するように前記弾性部材がスライド方向に対して垂直方向に圧縮される構造である。
【０００９】
本発明によれば、バッテリカバーの開閉方向がバッテリの取り出し方向と異なるので、落下等の衝撃が加わってバッテリに装置本体から飛び出す方向の力が働いても、バッテリカバーを開く方向にはその力は作用しないので、落下の衝撃によりバッテリが装置本体から飛び出すことが無くなる。
【００１０】
【発明の実施の形態】
以下、本発明の実施の形態を図面を参照して説明する。携帯端末装置１１の外観は図示していないが、装置本体１１の表側にデータを入力する為の複数のキーからなるキー入力部と、入力されたデータを表示する液晶表示部とを備えており、裏面側にはバッテリ１２を収納するバッテリ収納部１５が設けられている。
【００１１】
図１は、第１の実施の形態の携帯端末装置１１のバッテリカバー開閉機構の説明図であり、同図（Ａ）は、バッテリカバー１３を装置本体１１から外した状態で、装置本体１１を裏面側から見た外観斜視図であり、同図（Ｂ）は、バッテリカバー１３を装置本体１１に取り付けた状態で、図１（Ａ）のアーア方向から見た断面図であり、同図（Ｃ）は同じくイーイ方向から見た断面図である。
【００１２】
バッテリカバー１３は、図１（Ｃ）のイーイ断面に示すように、左右の端部１３ａがコの字状に曲げられており、その左右の端部１３ａが、装置本体１１に収容されたバッテリ１２の左右に設けられている案内板１４と当接して、図１（Ａ）の矢印ｃ方向にスライドさせてバッテリカバー１３を装置本体１１に取り付けるようになっている。
【００１３】
バッテリカバー１３を矢印ｃ方向にスライドさせて、バッテリカバー１３の端面１３ｂがバッテリ収納部１５の端面１５ａに接触する位置まで押し込むと、バッテリ１２はバッテリカバー１３により覆われる。
【００１４】
バッテリカバー１３を装置本体１１に完全に挿入した状態で、装置本体１１に落下の衝撃が加わると、バッテリ１２には、図１（Ｂ）の矢印Ｙ方向の力が働き、バッテリ１２は装置本体１１の外に飛び出そうとする。一方、バッテリカバー１３は、図１（Ｂ）の矢印Ｘ方向にはスライドするが、案内板１４により矢印Ｙ方向には動かないように規制されているので、落下の衝撃が加わってもバッテリカバー１３は開かず、バッテリ１２が装置本体１１から外に飛び出すことはない。
【００１５】
この第１の実施の形態によれば、バッテリカバー１３を案内板１４に沿ってスライドさせて装置本体１１に取り付けるようにしたので、バッテリ１２の取り出し方向とバッテリカバー１３の開閉方向とが異なる。それにより、落下による衝撃が装置本体１１に加わってもバッテリ１２が装置本体１１の外に飛び出すのを防止できる。
【００１６】
次に、本発明の第２の実施の形態を図２を参照して説明する。図２（Ａ）〜（Ｃ）は、中蓋２１とパッキン２５を用いてバッテリ収容部１５を防滴構造にした第２の実施の形態の説明図であり、同図（Ａ）は中蓋２１を開いた状態での外観斜視図であり、同図（Ｂ）は図２（Ａ）のアーア方向から見た断面図、同図（Ｃ）は、図２（Ｂ）のイ部の詳細図である。
【００１７】
バッテリ収容部２２は、直方体状で上部に開口を有し、その開口を中蓋２１により覆うようになっている。バッテリ収容部２２の両側面には、案内板２３が設けられ、その案内板２３に沿ってバッテリカバー２４をスライドさせて中蓋２１を覆うようになっている。
【００１８】
バッテリカバー２４を閉じるときには、先ずバッテリ収容部２２にバッテリ１２を挿入し、次に中蓋２１を閉じる。さらに、バッテリカバー２４を案内板２３に沿ってスライドさせてバッテリカバー２４の端面２４ａが装置本体１１の端面に接触する位置まで押し込む。
【００１９】
バッテリ収容部２２の中蓋２１と接触する外周上面部２２ａにはパッキン（弾性部材：ゴム、弾性プラスティック等）２５が接着等により固定されている。このパッキン２５と接触する中蓋２１の先端には、図２（Ｃ）のイ部詳細図に示すようにパッキン２５を圧縮するためのつめ２１ａが設けられている。
【００２０】
従って、バッテリカバー２４が案内板２３に沿ってスライドされて装置本体１１に取り付けられると、バッテリカバー２４により中蓋２１が押圧され、それにより中蓋２１のつめ２１ａがパッキン２５を圧縮して、中蓋２１とバッテリ収容部２２の外周上面部２２ａのパッキン２５とが密着する。中蓋２１とパッキン２５とが密着すると、バッテリ収容部２２の外部から内部に水滴が進入しないようになるのでバッテリ収容部２２を防滴構造にすることができる。
【００２１】
ところで、上述したような構造の開閉機構は、バッテリカバー２４を装置本体１１に挿入するときに、バッテリカバー２４の内部上面で中蓋２１を押さえ、パッキン２５を圧縮するので、バッテリカバー２４の先端部２４ａを装置本体１１に挿入したときからパッキン２５を圧縮するための力が必要となり、バッテリカバー２４を奧に挿入するほど大きな力で挿入しなければならなくなる。
【００２２】
この点を改良したのが、図３に示す第３の実施の形態である。この第３の実施の形態も、前述した第２の実施の形態と同様に、中蓋２１と接触するバッテリ収容部２２の外周上面部２２ａにパッキン２５が接着等により固定されている。このパッキン２５と接触する中蓋２１の先端には、パッキン２５を圧縮するためのつめ２１ａが設けられており、バッテリカバー３４を装置本体１１に取り付けたとき中蓋２１とパッキン２５によりバッテリ収容部２２が密閉されるようにな構造となっている。
【００２３】
バッテリ収容部２２の両側面には案内板３３が設けられている。この案内板３３は、図３（Ｂ）のＡ−Ａ断面図に示すように案内板３３の上下方向の断面の幅ｄがバッテリカバー３４が挿入される先端部３３ａから奥に向かって次第に広くなっている。つまり、案内板３３の下面が挿入方向の手前側から奧側に向かって下がる方向に傾斜している。これに対応して、図３（Ｂ）のＢ−Ｂ断面に示すように、バッテリ収納部２２の案内板３３に沿ってスライドするバッテリカバー３４の案内板３５も上下方向の断面の幅ｅが挿入口の先端部３５ａから奥に向かって次第に広くなっている。つまり、案内板３５の上面が挿入方向に向かって手前側（挿入口から見ると奧側）から奧側（挿入口）に向かって下がる方向に傾斜している。
【００２４】
従ってバッテリカバー３４をバッテリ収納部２２の案内板３３に沿って挿入するときに、最初に挿入されるバッテリカバー３４の案内板３５の先端部３５ａの断面の幅ｅは最小で、案内板３３の先端部３３ａの幅ｄも最小であるので、バッテリカバー３４の案内板３５の先端部３５ａは案内板３３の先端部３３ａと接触せず、バッテリカバー３４を挿入するときにパッキン２５を圧縮するための力はほとんど必要としない。
【００２５】
そして、バッテリカバー３４をさらに奥に押し込んでいってバッテリカバー３４の案内板３５の先端３５ａがバッテリ収納部２２の案内板３３と接触する位置まで進むと、バッテリカバー３４の内面上部が中蓋３１を、図３（Ｂ）の下方向に押圧する。バッテリカバー３４により中蓋２１が下方に押圧されると、中蓋２１によりパッキン２５が圧縮されてパッキン２５と中蓋２１とが密着する。
【００２６】
その位置からさらにバッテリカバー３４を奥に挿入すると、バッテリ収容部２２の案内板３３の断面の幅ｄが最大となる後端部３３ｂと、バッテリカバー３４の案内板３５の断面の幅ｅが最小となる先端部３５ａとが当接し、案内板３３の断面の幅ｄが最小となる先端部３３ａと、バッテリカバー３４の案内板３５の断面の幅ｅが最大となるろ部３５ｂが当接する。
【００２７】
すなわち、バッテリ収納部２２の案内板３３の下面を、バッテリカバー３４の挿入方向の手前側から奧側に向かって下る傾斜面とし、その傾斜面に沿ってスライドさせるバッテリカバー２４の案内板３５の上面を、挿入方向の手前側から奧側に向かって下がる傾斜面とすることにより、バッテリカバー３４をある程度奥に挿入するまで案内板３３の傾斜面と案内板３５の傾斜面とは接触せず、パッキン２５を圧縮するための力は必要としないので、バッテリカバー３４を装置本体１１に挿入する初期の段階では大きな力を必要としない。
【００２８】
そして、バッテリカバー３４を案内板３３に沿って奥に挿入するにつれて案内板３３の傾斜面と案内板３５の傾斜面とが接触するので、パッキン２５を圧縮するための力が徐々に大きくなる。さらに、バッテリカバー３４を挿入するにつれてパッキン２５が次第に圧縮されるので、パッキン２５を均一に圧縮することができ、パッキン２５と中蓋２１との密着性をより高めることができる。
【００２９】
図４は、パッキン２５と中蓋２１との隙間が不均一な場合のパッキン２５の圧縮状態を示す図である。
図４（Ａ）に示すように中蓋２１とパッキン２５との間の隙間が、奧の部分２１ａで大きくなっている場合でも、上述したようにバッテリ収納部２２の案内板３３の断面形状を案内板３３の先端部３３ａから奥に向かって断面の幅dが次第に広がる形状とし、それに対応してバッテリカバー３４の案内板３５の断面形状を挿入口から奥に向かって次第に広がる形状とすることにより、バッテリカバー３４を挿入するに従って徐々にパッキン２５を圧縮する力が大きくなり、案内板３３の後端部３３ｂでもパッキン２５に充分に圧縮力が働く。これによりパッキン２５が均一に圧縮されるので、図４（Ｂ）に示すようにパッキン２５と中蓋２１とが均一に密着する。
【００３０】
上述した実施の形態は本発明を携帯端末装置に適用した場合であるが、それに限らずビデオカメラ、携帯型液晶テレビ、携帯ラジオ等の携帯型の電子機器に広く適用できる。また、バッテリカバーをスライドさせる方向は、図１のＸ方向に限らず、Ｙ方向と直交する方向であればよい、
【００３１】
【発明の効果】
本発明は、バッテリカバーの開閉方向をバッテリの取り出し方向と異ならせることで、装置本体に落下等による衝撃が加わったときに、バッテリカバーが外れてバッテリが装置本体の外に飛び出すことがなくなる。また、バッテリカバーをスライドさせて挿入するための案内板の接触面を、挿入方向の手前側から奧に向かって傾斜させることにより、バッテリカバーを装置本体に挿入するときに必要な力を少なくして、バッテリカバーをより取り付け易くできる。
【図面の簡単な説明】
【図１】第１の実施の形態のバッテリカバー開閉機構の説明図であり、同図（Ａ）はバッテリカバー１３をはずした状態での外観斜視図、同図（Ｂ）はそのア−ア断面図、同図（Ｃ）はそのイ−イ断面図である。
【図２】同図は第２の実施の形態のバッテリ開閉機構の説明図であり、同図（Ａ）は外観斜視図、同図（Ｂ）はそのア−ア断面図、同図（Ｃ）はイ部詳細図である。
【図３】同図は、第３の実施の形態のバッテリカバーと案内板の説明図であり、同図（Ａ）はその外観斜視図、同図（Ｂ）はバッテリ収容部２２のＡ−Ａ断面及びバッテリカバー３４のＢ−Ｂ断面図である。
【図４】パッキンを圧縮状態を示す図であり、同図（Ａ）はバッテリカバーを途中まで挿入した状態を示し、同図（Ｂ）はバッテリカバーを最後まで挿入したときの状態を示している。
【図５】同図（Ａ）、（Ｂ）は、従来のバッテリカバー開閉機構の説明図である。
【符号の説明】
１１    携帯端末装置
１２    バッテリ
１３、２４、３４    バッテリカバー
１４、２３、３３    案内板
２１    中蓋
２５    パッキン
【図１】
0003907774.tif 000002
【図２】
0003907774.tif 000003
【図３】
0003907774.tif 000004
【図４】
0003907774.tif 000005
【図５】
0003907774.tif 000006